(57)【要約】【課題】外部電極の形成不良を防止できる電子部品およびその製造方法を提供することを目的とする。【解決手段】直方体形状の電子部品本体１４と、この電子部品本体１４の内部に互いに短絡しないように設けられた内部導体１３ａ〜１３ｄと、この内部導体１３ａ〜１３ｄと電気的に接続される複数の外部電極１５ａ〜１５ｄとを備え、前記外部電極１５ａ〜１５ｄを前記直方体形状の電子部品本体１４の縦方向の稜線を含む部分に設けたものである。【選択図】図１
2005217345.tif 000002
【特許請求の範囲】
【請求項１】
直方体形状の電子部品本体と、この電子部品本体の内部に互いに短絡しないように設けられた内部導体と、この内部導体と電気的に接続される複数の外部電極とを備え、前記外部電極を前記直方体形状の電子部品本体の縦方向の稜線を含む部分に設けた電子部品。
【請求項２】
直方体形状の電子部品本体と、この電子部品本体の内部に互いに短絡しないように設けられたコモンモードノイズ除去機能を有する内部導体と、この内部導体と電気的に接続される複数の外部電極とを備え、前記外部電極を前記直方体形状の電子部品本体の縦方向の稜線を含む部分に設けた電子部品。
【請求項３】
磁性材料からなる複数の第１の絶縁体層と、この第１の絶縁体層間に位置して設けられるとともに前記第１の絶縁体層より透磁率が低い第２の絶縁体層と、この第２の絶縁体層に互いに短絡しないように設けられた内部導体とを有し、かつ前記第１の絶縁体層と第２の絶縁体層を焼成することにより第１の絶縁体層、第２の絶縁体層が一体化された直方体形状の電子部品本体と、前記内部導体と電気的に接続される複数の外部電極とを備え、前記外部電極を前記直方体形状の電子部品本体の縦方向の稜線を含む部分に設けた電子部品。
【請求項４】
長方形状の絶縁体層を複数形成する工程と、前記複数の絶縁体層の少なくとも１枚に内部導体を互いに短絡しないように形成する工程と、前記複数の絶縁体層を焼成することにより直方体形状の電子部品本体を形成する工程と、前記内部導体と電気的に接続されるように前記直方体形状の電子部品本体の縦方向の稜線を含む部分に外部電極を形成する工程とを備えた電子部品の製造方法。
【請求項５】
磁性材料からなる長方形状の第１の絶縁体層を複数形成する工程と、前記第１の絶縁体層より透磁率が低い長方形状の第２の絶縁体層を形成する工程と、前記第２の絶縁体層に内部導体を互いに短絡しないように形成する工程と、前記複数の第１の絶縁体層の間に前記第２の絶縁体層を形成するとともに焼成することにより第１の絶縁体層、第２の絶縁体層が一体化された直方体形状の電子部品本体を形成する工程と、前記内部導体と電気的に接続されるように前記直方体形状の電子部品本体の縦方向の稜線部分に外部電極を形成する工程とを備えた電子部品の製造方法。
【発明の詳細な説明】
【技術分野】
【０００１】
本発明は、各種電子機器に使用される電子部品およびその製造方法に関するものである。
【背景技術】
【０００２】
従来の電子部品は、図３に示すように、複数の内部導体を有する積層体１の両端部または両側部に、前記複数の内部導体に接続される複数の外部電極２ａ〜２ｄを設けていた。そして、この外部電極２ａ〜２ｄは、積層体１の両端部または両側部の片側の同一面にそれぞれ２個ずつ設けられ、かつその表面にはめっき層が形成されていた。
【０００３】
なお、この出願の発明に関連する先行技術文献情報としては、例えば、特許文献１が知られている。
【特許文献１】特開平８−２０３７３７号公報
【発明の開示】
【発明が解決しようとする課題】
【０００４】
上記した従来の電子部品は、外部電極２ａ〜２ｄの形成不良が発生しやすくなるという課題を有していた。
【０００５】
すなわち、電子機器の小型化に伴って電子部品の小型化が進むと、積層体１の端面部、側面部の面積が小さくなるため、外部電極２ａ〜２ｄを形成できる面積も小さくなるからである。また、このような背景から、外部電極２ａ〜２ｄの面積が小さくなると、外部電極２ａ〜２ｄの表面にバレルめっき法でめっき層を形成する場合、めっき層を安定して形成することが難しくなり、めっき層において極端に薄いものが発生しやすくなるという問題点も発生していた。
【０００６】
本発明は上記従来の課題を解決するもので、外部電極の形成不良を防止できる電子部品およびその製造方法を提供することを目的とするものである。
【課題を解決するための手段】
【０００７】
上記目的を達成するために本発明は、以下の構成を有するものである。
【０００８】
本発明の請求項１に記載の発明は、直方体形状の電子部品本体と、この電子部品本体の内部に互いに短絡しないように設けられた内部導体と、この内部導体と電気的に接続される複数の外部電極とを備え、前記外部電極を前記直方体形状の電子部品本体の縦方向の稜線を含む部分に設けたもので、この構成によれば、外部電極が電子部品本体の端面と側面の両方に設けられることになるため、外部電極を形成できる面積を広くすることができ、これにより、外部電極の形成不良を防止することができるという作用効果が得られる。
【０００９】
本発明の請求項２に記載の発明は、直方体形状の電子部品本体と、この電子部品本体の内部に互いに短絡しないように設けられたコモンモードノイズ除去機能を有する内部導体と、この内部導体と電気的に接続される複数の外部電極とを備え、前記外部電極を前記直方体形状の電子部品本体の縦方向の稜線を含む部分に設けたもので、この構成によれば、外部電極が電子部品本体の端面と側面の両方に設けられることになるため、外部電極を形成できる面積を広くすることができ、これにより、外部電極の形成不良を防止することができ、さらに、内部導体がコモンモードノイズ除去機能を有しているため、コモンモードノイズフィルタとして使用できるという作用効果が得られる。
【００１０】
本発明の請求項３に記載の発明は、磁性材料からなる複数の第１の絶縁体層と、この第１の絶縁体層間に位置して設けられるとともに前記第１の絶縁体層より透磁率が低い第２の絶縁体層と、この第２の絶縁体層に互いに短絡しないように設けられた内部導体とを有し、かつ前記第１の絶縁体層と第２の絶縁体層を焼成することにより第１の絶縁体層、第２の絶縁体層が一体化された直方体形状の電子部品本体と、前記内部導体と電気的に接続される複数の外部電極とを備え、前記外部電極を前記直方体形状の電子部品本体の縦方向の稜線を含む部分に設けたもので、この構成によれば、外部電極が電子部品本体の端面と側面の両方に設けられることになるため、外部電極を形成できる面積を広くすることができ、これにより、外部電極の形成不良を防止することができ、さらに、磁性材料からなる第１の絶縁体層を備えているため、ノイズフィルタとして使用できるという作用効果が得られる。
【００１１】
本発明の請求項４に記載の発明は、長方形状の絶縁体層を複数形成する工程と、前記複数の絶縁体層の少なくとも１枚に内部導体を互いに短絡しないように形成する工程と、前記複数の絶縁体層を焼成することにより直方体形状の電子部品本体を形成する工程と、前記内部導体と電気的に接続されるように前記直方体形状の電子部品本体の縦方向の稜線を含む部分に外部電極を形成する工程とを備えたもので、この製造方法によれば、外部電極が電子部品本体の端面と側面の両方に形成されることになるため、外部電極を形成できる面積を広くすることができ、これにより、外部電極の形成不良を防止することができるという作用効果が得られる。
【００１２】
本発明の請求項５に記載の発明は、磁性材料からなる長方形状の第１の絶縁体層を複数形成する工程と、前記第１の絶縁体層より透磁率が低い長方形状の第２の絶縁体層を形成する工程と、前記第２の絶縁体層に内部導体を互いに短絡しないように形成する工程と、前記複数の第１の絶縁体層の間に前記第２の絶縁体層を形成するとともに第１の絶縁体層、第２の絶縁体層が一体化された直方体形状の電子部品本体を形成する工程と、前記内部導体と電気的に接続されるように前記直方体形状の電子部品本体の縦方向の稜線部分に外部電極を形成する工程とを備えたもので、この製造方法によれば、外部電極が電子部品本体の端面と側面の両方に形成されることになるため、外部電極を形成できる面積を広くすることができ、これにより、外部電極の形成不良を防止することができ、さらに、磁性材料からなる第１の絶縁体層を有しているため、ノイズフィルタとして使用できるという作用効果が得られる。
【発明の効果】
【００１３】
以上のように本発明の電子部品は、直方体形状の電子部品本体と、この電子部品本体の内部に互いに短絡しないように設けられた内部導体と、この内部導体と電気的に接続される複数の外部電極とを備え、前記外部電極を前記直方体形状の電子部品本体の縦方向の稜線を含む部分に設けているため、外部電極は電子部品本体の端面と側面の両方に設けられることになり、これにより、外部電極を形成できる面積を広くすることができるため、外部電極の形成不良を防止することができるという優れた効果を奏するものである。
【発明を実施するための最良の形態】
【００１４】
以下、本発明の一実施の形態における電子部品の一例であるコモンモードノイズフィルタについて説明する。
【００１５】
図１（ａ）は本発明の一実施の形態におけるコモンモードノイズフィルタの分解斜視図、図１（ｂ）は同コモンモードノイズフィルタの斜視図である。
【００１６】
図１（ａ）（ｂ）に示すように、本発明の一実施の形態におけるコモンモードノイズフィルタは、磁性材料からなる複数の第１の絶縁体層１１ａ，１１ｂと、この第１の絶縁体層１１ａ，１１ｂ間に位置して設けられ、かつ第１の絶縁体層１１ａ，１１ｂより透磁率が低い第２の絶縁体層１２と、この第２の絶縁体層１２に互いに短絡しないように設けられたコモンモードノイズ除去機能を有する第１〜第４の内部導体１３ａ〜１３ｄとを有し、かつ前記第１の絶縁体層１１ａ，１１ｂと第２の絶縁体層１２を焼成することにより第１の絶縁体層１１ａ，１１ｂ、第２の絶縁体層１２が一体化された直方体形状の電子部品本体１４と、前記第１〜第４の内部導体１３ａ〜１３ｄと電気的に接続される外部電極１５ａ〜１５ｄとを備え、前記外部電極１５ａ〜１５ｄを電子部品本体１４の縦方向の稜線を含む部分に設けたものである。
【００１７】
前記第１の絶縁体層１１ａ，１１ｂは、長方形のシート状に構成されているもので、電子部品本体１４の上部および下部を構成している。そしてこの第１の絶縁体層１１ａ，１１ｂの材料としては、Ｎｉ−Ｚｎ−Ｃｕ系フェライトを用いている。なお、これらは磁性体であれば上記材料に限定されるものではなく、また、図面ではそれぞれの枚数は３枚となっているが、必ずしも３枚である必要はない。そしてまた、この第１の絶縁体層１１ａ，１１ｂを磁性材料で構成することにより、電子部品をコモンモードノイズフィルタ等のノイズフィルタとして機能させることができる。すなわち、第１〜第４の内部導体１３ａ〜１３ｄで発生した磁束が第１の絶縁体層１１ａ，１１ｂ内をより多く通るため、高周波ノイズが印加されるとインピーダンスが大きくなるからである。
【００１８】
前記第２の絶縁体層１２は、長方形のシート状に構成されているもので、前記第１の絶縁体層１１ａ，１１ｂの間に位置して設けられている。そしてこの第２の絶縁体層１２の材料としては、第１の絶縁体層１１ａ，１１ｂより透磁率が低いＮｉ−Ｚｎ−Ｃｏ系フェライトを用いている。なお、このＮｉ−Ｚｎ−Ｃｏ系フェライトは透磁率が低い磁性体として通常用いられている。また、透磁率が低い材料としてフェライト系のものを使用することにより、第１の絶縁体層１１ａ，１１ｂと第２の絶縁体層１２がフェライト同士となるため、第１、第２の絶縁体層１１ａ，１１ｂ，１２を同時に焼成すると、第１の絶縁体層１１ａ，１１ｂと第２の絶縁体層１２との接合性が良くなり、安定した製品ができる。
【００１９】
なお、第２の絶縁体層１２は、必ずしも透磁率が低いものである必要はないが、透磁率が低い場合は、電子部品をコモンモードノイズフィルタとして機能させることができる。
【００２０】
また、第２の絶縁体層１２として透磁率が低いものを用いる場合、透磁率が低いものであれば上記材料に限定されるものではない。また、図面では枚数が１枚となっているが、必ずしも１枚である必要はない。
【００２１】
そしてまた、第１〜第４の内部導体１３ａ〜１３ｄの上下に設けられた第１の絶縁体層１１ａ，１１ｂは、その他の第１の絶縁体層１１ａ，１１ｂより透磁率が低い材料で構成してもよく、このような構成にした場合は、第１〜第４の内部導体１３ａ〜１３ｄが他の第１の絶縁体層１１ａ，１１ｂより透磁率が低い層に設けられることになるため、単なるノイズフィルタとしてではなく、コモンモードノイズフィルタとしても使用できるものである。
【００２２】
また、前記第２の絶縁体層１２には、第１、第２のバイア電極１６ａ，１６ｂが備えられているもので、このバイア電極１６ａ，１６ｂは、それぞれ第２の絶縁体層１２を貫通する孔に銀などの導電体を充填することにより構成している。
【００２３】
前記第１〜第４の内部導体１３ａ〜１３ｄは、コモンモードノイズ除去機能を有し、第２の絶縁体層１２の上面および下面に設けられている。そして、この第１〜第４の内部導体１３ａ〜１３ｄは、それぞれ銀などの導電体からなり１ターン以上の渦巻き状となっており、渦巻きの方向は上面から見て全て同じ方向になっている。また、その一端部はそれぞれ引出電極１７ａ〜１７ｄと接続され、かつ他端部、すなわち渦巻きの中心部はそれぞれ第１、第２のバイア電極１６ａ，１６ｂと接続されている。
【００２４】
ここで、前記引出電極１７ａ〜１７ｄは、それぞれ第２の絶縁体層１２の４隅、すなわち電子部品本体１４の端面１４ａと側面１４ｂの両方に露出している。
【００２５】
なお、第１、第２の内部導体１３ａ，１３ｂは第２の絶縁体層１２の下面に設けられ、かつ第３、第４の内部導体１３ｃ，１３ｄは第２の絶縁体層１２の上面に設けられている。そして、第１の内部導体１３ａと第３の内部導体１３ｃとが第１のバイア電極１６ａを介して電気的に接続され、さらに第２の内部導体１３ｂと第４の内部導体１３ｄとが第２のバイア電極１６ｂを介して電気的に接続されている。すなわち、第１の内部導体１３ａと第３の内部導体１３ｃとからなる素子と、第２の内部導体１３ｂと第４の内部導体１３ｄとからなる素子の２つの素子が設けられている。
【００２６】
また、第１の内部導体１３ａは第２の内部導体１３ｂに沿うようにその線間に配置されかつ互いに短絡しないように設けられている。そして、第３の内部導体１３ｃと第４の内部導体１３ｄも同様の関係に設けられている。
【００２７】
第１〜第４の内部導体１３ａ〜１３ｄを上記したような構成にすることによって、同一面に備えられかつ互いに磁気的な影響を及ぼし合う第１の内部導体１３ａと第２の内部導体１３ｂの長さ、および第３の内部導体１３ｃと第４の内部導体１３ｄの長さは長くなり、さらに、第１、第２の内部導体１３ａ，１３ｂと第３、第４の内部導体１３ｃ，１３ｄとが透磁率の低い第２の絶縁体層１２で遮断されていることにより、第１、第２の内部導体１３ａ，１３ｂと第３、第４の内部導体１３ｃ，１３ｄとが互いに磁界を強め合うため、コモンモードノイズを除去することができる。これにより、第１〜第４の内部導体１３ａ〜１３ｄは、コモンモードノイズ除去機能を有することになる。
【００２８】
前記電子部品本体１４は、直方体形状（長方形で板状）をなすもので、その４隅に外部電極１５ａ〜１５ｄが互いに接触しないように設けられている。すなわち、外部電極１５ａ〜１５ｄは電子部品本体１４の縦方向の４個の稜線を含む部分に形成されており、電子部品本体１４の端面１４ａと側面１４ｂの両方にわたって設けられることになる。そして、この外部電極１５ａ〜１５ｄは、それぞれ第２の絶縁体層１２の４隅に露出した引出電極１７ａ〜１７ｄと接続され、かつその表面にニッケルめっき層とすずやはんだなどの低融点金属めっき層からなるめっき層（図示せず）が設けられている。
【００２９】
なお、前記引出電極１７ａ〜１７ｄは、それぞれ第２の絶縁体層１２の４隅、すなわち電子部品本体１４の端面１４ａと側面１４ｂの両方に露出しているため、外部電極１５ａ〜１５ｄとの接触面積が大きくなり、これにより、外部電極１５ａ〜１５ｄと引出電極１７ａ〜１７ｄとの絶縁不良を低減できるものである。
【００３０】
また、電子部品本体１４の端面１４ａと側面１４ｂのうち長さが短い方の端面１４ａの長さに対して、長い方の側面１４ｂの長さは、１．１〜１．５倍とするのが好ましい。なぜなら、抵抗値測定等を行う完成選別機での直行率（電子部品が同じ方向に揃う率）が良好になるからである。
【００３１】
そしてまた、電子部品本体１４の端面１４ａの長さに対して、電子部品本体１４の高さは、０．４〜０．６倍とすることが好ましい。なぜなら、０．４倍より小さいと、薄すぎて取り扱いが難しくなり、一方、０．６倍より大きいと、生産工程において転がりやすくなるからである。
【００３２】
以下に、本発明の一実施の形態におけるコモンモードノイズフィルタの製造方法について説明する。
【００３３】
図１（ａ）（ｂ）において、まず、それぞれの原材料であるフェライト粉体の酸化物および樹脂からなる混合物により、長方形状の第１の絶縁体層１１ａ，１１ｂおよび第２の絶縁体層１２をそれぞれ所定枚数作製する。
【００３４】
次に、第２の絶縁体層１２に、レーザ、パンチングなどで孔あけ加工をし、この孔に銀を充填して、第１、第２のバイア電極１６ａ，１６ｂを設ける。
【００３５】
次に、所定枚数の第１の絶縁体層１１ａを積層し、最上部のシートの上面に、１ターン以上の渦巻き状である第１、第２の内部導体１３ａ，１３ｂと、この第１、第２の内部導体１３ａ，１３ｂの一端部とそれぞれ接続された第１、第２の引出電極１７ａ，１７ｂをめっきによって同時に形成する。
【００３６】
なお、第１、第２の内部導体１３ａ，１３ｂと第１、第２の引出電極１７ａ，１７ｂは、別々に形成してもよい。また、その形成方法としては、めっきに限らず印刷、蒸着等により形成してもよい。
【００３７】
次に、第１、第２の内部導体１３ａ，１３ｂ、および第１、第２の引出電極１７ａ，１７ｂの上面に、第１、第２のバイア電極１６ａ，１６ｂを有する第２の絶縁体層１２を積層する。
【００３８】
このとき、第１、第２の内部導体１３ａ，１３ｂの他端部すなわち渦巻きの中心部と第１、第２のバイア電極１６ａ，１６ｂとを接続する。
【００３９】
次に、第２の絶縁体層１２の上面に１ターン以上の渦巻き状である第３、第４の内部導体１３ｃ，１３ｄ、および第３、第４の内部導体１３ｃ，１３ｄの一端部とそれぞれ接続された第３、第４の引出電極１７ｃ，１７ｄをめっきによって同時に形成する。
【００４０】
このとき、第３、第４の内部導体１３ｃ，１３ｄの他端部、すなわち渦巻きの中心部と第１、第２のバイア電極１６ａ，１６ｂとを接続する。
【００４１】
なお、第３、第４の内部導体１３ｃ，１３ｄと第３、第４の引出電極１７ｃ，１７ｄは、別々に形成してもよい。また形成方法は、めっきに限らず印刷、蒸着等により形成してもよい。
【００４２】
次に、第３、第４の内部導体１３ｃ，１３ｄの上面に所定枚数の第１の絶縁体層１１ｂを積層し、積層体を形成する。
【００４３】
なお、上記した製造プロセスにおいて、製造上の効率を向上させるために、１枚のシート状の第１、第２の絶縁体層１１ａ，１１ｂ，１２に第１〜第４の内部導体１３ａ〜１３ｄをそれぞれ複数設けた後、各個片に切断するようにして、同時に複数の積層体を得るようにしてもよい。
【００４４】
次に、この積層体を所定の温度、時間で内部のバインダを蒸発させた後、約９３０℃で１〜２時間焼成する。これにより、第１の絶縁体層１１ａ，１１ｂおよび第２の絶縁体層１２が一体化されて電子部品本体１４が構成されるとともに、第１の絶縁体層１１ａ，１１ｂおよび第２の絶縁体層１２の焼結密度を５．１ｇ／ｃｍ3以上とすることができる。
【００４５】
次に、電子部品本体１４の縦方向の４個の稜線を含む部分に、それぞれ銀を主成分とする導体ペーストを、例えばローラ転写工法により塗布し、その後焼成して外部電極１５ａ〜１５ｄを形成する。このとき、外部電極１５ａ〜１５ｄと引出電極１７ａ〜１７ｄをそれぞれ接続する。
【００４６】
次に、外部電極１５ａ〜１５ｄの表面にめっきによって、ニッケルめっき層および低融点金属めっき層からなるめっき層（図示せず）を形成する。
【００４７】
最後に、完成選別機で抵抗値、周波数特性等を測定し、不良品を選別する。
【００４８】
上記した本発明の一実施の形態においては、磁性材料からなる複数の第１の絶縁体層１１ａ，１１ｂと、この第１の絶縁体層１１ａ，１１ｂ間に挟まれ、かつ第１の絶縁体層１１ａ，１１ｂより透磁率が低い第２の絶縁体層１２と、第２の絶縁体層１２に互いに短絡しないように設けられた複数の内部導体１３ａ〜１３ｄとを有し、かつ前記第１の絶縁体層１１ａ，１１ｂと第２の絶縁体層１２および内部導体１３ａ〜１３ｄを積層して焼成することにより第１の絶縁体層１１ａ，１１ｂ、第２の絶縁体層１２が一体化された直方体形状の電子部品本体１４と、前記複数の内部導体１３ａ〜１３ｄと電気的に接続された複数の外部電極１５ａ〜１５ｄとを備え、前記複数の外部電極１５ａ〜１５ｄを電子部品本体１４の４隅、すなわち電子部品本体１４の縦方向の４個の稜線を含む部分に設けているため、複数の外部電極１５ａ〜１５ｄは電子部品本体１４の端面１４ａと側面１４ｂの両方に跨って形成されることになり、これにより、外部電極１５ａ〜１５ｄ間の距離を従来と同じにしながら、外部電極１５ａ〜１５ｄを形成できる面積を広くすることができる。この結果、導体ペーストをローラー転写工法で電子部品本体１４に塗布した場合でも導体ペーストの表面張力により外部電極１５ａ〜１５ｄ間における外部電極１５ａ〜１５ｄのにじみの発生を抑制でき、また、導体ペーストの転写量が安定するため、膜厚を厚くできる。従って、外部電極形成不良を防止できるという効果が得られる。
【００４９】
また、外部電極１５ａ〜１５ｄを形成できる面積を広くすることができるため、安定しためっき層を形成することができ、これにより、めっき層が極端に薄いものの発生を抑えることができる。
【００５０】
そしてまた、外部電極１５ａ〜１５ｄを形成できる面積を広くすることができるため、外部電極１５ａ〜１５ｄ間の距離をある程度大きくしても、電子部品本体１４の端面１４ａと側面１４ｂの面積は小さくすることができ、これにより、外部電極１５ａ〜１５ｄ間の距離を従来と同じにしながら、電子部品を小型化することができる。
【００５１】
さらに、ローラー転写工法のような量産性の高い工法では、従来の電子部品のように同一面に外部電極を形成することは難しいが、電子部品本体１４の４隅、すなわち電子部品本体１４の縦方向の稜線を含む部分には、容易に形成できる。
【００５２】
さらにまた、電子部品本体１４の端面１４ａに形成される外部電極１５ａ〜１５ｄの面積を小さくし、側面１４ｂに形成される外部電極１５ａ〜１５ｄの面積を大きくすることもできるため、電子部品本体１４の端面１４ａの面積が小さくなっても、外部電極１５ａ〜１５ｄ間の距離を長くでき、これにより、外部電極１５ａ〜１５ｄ同士が接触するのを防止することができる。このように本発明の一実施の形態においては、外部電極１５ａ〜１５ｄ間の距離をある程度確保しながら、外部電極１５ａ〜１５ｄの面積を大きくすることもできるものである。
【００５３】
また、内部導体１３ａ〜１３ｄがコモンモードノイズ除去機能を有しているため、コモンモードノイズフィルタとして使用できる。
【００５４】
そしてまた、電子部品本体１４が直方体形状であるため、抵抗値等の測定位置が一義的に決まるという効果も得られる。従って、電子部品が小型化して方向性を揃えることが難しくなっても、完成選別機での直行率を落とさず、抵抗値等を測定することができる。
【００５５】
さらに、従来よりも広い面積でめっきの下地となる外部電極１５ａ〜１５ｄが設けられているため、バレルめっきによりめっき層を形成する際、バレルの中で外部電極１５ａ〜１５ｄがスチールボールと接触する確率が高くなるため、めっき層を容易に形成することができ、またバレルの中に投入された電子部品間のめっき層の厚みバラツキも低減することができる。さらに、スチールボールとの接触確率が高くなることにより、めっき時間を短縮することも可能となり、生産性の向上が図れる。
【００５６】
さらにまた、素子が複数ある場合、その素子の数に対応する数の外部電極を形成する必要があるもので、この場合、従来は外部電極の形成場所が確保できずに製品全体の大きさが大きくなる可能性もあったが、本発明の一実施の形態における電子部品のように外部電極１５ａ〜１５ｄを、電子部品本体１４の縦方向の稜線を含む部分、すなわち電子部品本体１４の４隅に形成すれば、外部電極を形成する場所が確保できるため、製品全体の大きさを小さくすることができる。
【００５７】
図２は、従来の電子部品と、本発明の一実施の形態における電子部品との外部電極の形成不良率を比較した特性図である。
【００５８】
このとき、第１の絶縁体層１１ａ，１１ｂとしてＮｉ−Ｚｎ−Ｃｕ系フェライトを用い、かつ第２の絶縁体層１２としてＮｉ−Ｚｎ−Ｃｕ−Ｃｏ系フェライトを用いた構成でコモンモードノイズフィルタを作製し試料とした。実験方法は、それぞれ１０００個の試料に、印刷によって外部電極１５ａ〜１５ｄを形成したとき、外部電極１５ａ〜１５ｄ間の距離が所定の値の半分以下に縮まったものを不良とした。
【００５９】
図２から明らかなように、本発明の一実施の形態における電子部品のように、電子部品本体１４の縦方向の稜線を含む部分に外部電極１５ａ〜１５ｄを形成した場合は、不良率が０％であり、外部電極１５ａ〜１５ｄの形成不良を防止できることがわかる。
【００６０】
なお、上記本発明の一実施の形態においては、本発明をコモンモードノイズフィルタに適用したものについて説明したが、これに限定されるものではなく、これ以外の例えば、直方体形状の本体を有するチップ抵抗器、チップコンデンサ等の他の電子部品にも本発明は適用できるもので、このような電子部品においても上記本発明の一実施の形態と同様に、外部電極を直方体形状の電子部品本体の縦方向の稜線を含む部分に設けることにより、外部電極が電子部品本体の端面と側面の両方に設けられることになるため、外部電極を形成できる面積を広くすることができ、これにより、外部電極の形成不良を防止できるという効果が得られるものである。
【００６１】
また、上記本発明の一実施の形態においては、内部導体１３ａ〜１３ｄの形状を渦巻き状とし、第２の絶縁体層１２を介して上下に２個ずつ配置したものについて説明したが、他の形状、配置であってもよい。そして、内部導体１３ａ〜１３ｄの数は４個としたが、他の個数でもよい。
【００６２】
そしてまた、上記本発明の一実施の形態においては、外部電極１５ａ〜１５ｄを４個設けたものについて説明したが、他の個数でもよい。ただし、４個以上の場合、そのうち４個は必ず電子部品本体１４の縦方向の稜線を含む部分に設ける必要がある。
【００６３】
さらに、上記本発明の一実施の形態においては、第１の内部導体１３ａおよび第３の内部導体１３ｃからなる素子と、第２の内部導体１３ｂおよび第４の内部導体１３ｄからなる素子の２個の素子を設けたものについて説明したが、他の個数の素子を設けてもよい。また、この内部導体は複数設けているが、１個でも構わない。なお、前記素子が３個以上の場合は、そのうち２個の素子に対応する外部電極は電子部品本体１４の縦方向の稜線を含む部分に設ける必要がある。さらに、素子または内部導体が１個の場合は、必ずしも外部電極は電子部品本体１４の縦方向の４個すべての稜線を含む部分に設ける必要はなく、素子または内部導体の引出電極が露出した縦方向の稜線を含む部分にのみ外部電極を設けてもよい。
【００６４】
さらにまた、上記本発明の一実施の形態においては、銀を主成分とする導体ペーストをローラー転写工法により塗布し、その後焼成して外部電極１５ａ〜１５ｄを形成しているが、その形成工法や電極材料はこれに限定されるものではなく、これ以外の例えば、蒸着等の工法によって形成してもよい。
【産業上の利用可能性】
【００６５】
本発明に係る電子部品およびその製造方法は、外部電極の形成不良を防止することができ、携帯電話、情報機器等のノイズ対策として使用されるコモンモードノイズフィルタ等に有用である。
【図面の簡単な説明】
【００６６】
【図１】（ａ）本発明の一実施の形態におけるコモンモードノイズフィルタの分解斜視図、（ｂ）同コモンモードノイズフィルタの斜視図
【図２】同コモンモードノイズフィルタと従来の電子部品との外部電極の形成不良率を比較した特性図
【図３】従来の電子部品の斜視図
【符号の説明】
【００６７】
１１ａ，１１ｂ  第１の絶縁体層
１２  第２の絶縁体層
１３ａ〜１３ｄ  第１〜第４の内部導体
１４  電子部品本体
１５ａ〜１５ｄ  外部電極
【図１】
2005217345.tif 000003
【図２】
2005217345.tif 000004
【図３】
2005217345.tif 000005